(57)【特許請求の範囲】
【請求項１】
無端状の記録体保持ベルトと、この記録体保持ベルトを移動自在に巻掛け支持するベルト支持手段と、前記記録体保持ベルトを前記ベルト支持手段に沿って移動させるベルト駆動手段と、輝尽性蛍光体層を有し前記記録体保持ベルトの表面に保持されたＸ線画像記録体と、前記記録体保持ベルトの表面に対向する所定の記録部に配設され、試料にＸ線を照射するとともに同試料で回折したＸ線を前記Ｘ線画像記録体に吸収・蓄積させる記録手段と、前記記録体保持ベルトの表面に対向する所定の読取部に配設され、前記Ｘ線画像記録体に励起光を照射することによりＸ線蓄積部分から蛍光を発生させるとともにこの発生した蛍光を読み取る読取手段とを備えたＸ線画像記録・読取装置であって、更に、次の（イ）乃至（へ）の構成を含むことを特徴とするＸ線画像記録・読取装置。
（イ）前記記録体保持ベルトは、可撓性を有する無端状の金属部材で形成され、伸縮しない構成である。
（ロ）前記読取部において前記記録体保持ベルトを所定の曲率の湾曲形状に吸着固定する読取部支持盤を設ける。
（ハ）前記読取手段は、前記読取部に配置された前記Ｘ線画像記録体に対し、レーザ光源で生じたレーザ光をハーフミラーを介して走査窓から発射するとともに、前記Ｘ線画像記録体に発生した蛍光を前記走査窓から受光し、前記ハーフミラーを介して検出部へと入力する構造を備えている。
（ニ）前記ハーフミラーおよび前記走査窓は、支持枠に装着した回転体に設けてあり、当該回転体とともに回転してレーザ光を径方向に発射する構成である。
（ホ）前記支持枠は、前記回転体の中心軸方向に往復移動する構成である。
（へ）前記読取手段は、前記読取部に出没自在となっており、前記読取部支持盤に前記記録体保持ベルトを介して前記Ｘ線画像記録体が真空吸着された状態のとき、前記読取部に移動してきて、前記Ｘ線画像記録体に記録された測定情報の読取走査を行なう構成である。
【発明の詳細な説明】
【０００１】
【発明の属する技術分野】
この発明は、Ｘ線回折装置などに利用されるＸ線画像記録・読取装置に関し、詳しくは試料から回折してきたＸ線を記録体に吸収・蓄積し、励起光の照射によってこれを読み取るＸ線画像記録・読取装置に関する。
【０００２】
【従来の技術】
Ｘ線回折装置等、Ｘ線の回折現象を利用して試料の結晶構造などを測定する装置には、試料で回折してきたＸ線を記録するために、輝尽性蛍光体層を有するＸ線画像記録体を用いたものがある。
【０００３】
従来、Ｘ線回折装置等に用いられるＸ線画像記録体は、一枚の平面的な板状体となっており、同装置の記録部において試料からの回折Ｘ線を吸収・蓄積した後、読取部にて励起光の照射によるＸ線画像の読取操作にかけられていた。その間に、Ｘ線画像記録体の記録部への固定、記録済みＸ線画像記録体の読取部への搬送および固定という作業を必要とするが、従来これらの作業は、作業員の人手をもって行なわれていた。
しかしながら、Ｘ線画像記録体を人手をもって固定および搬送する従来の方式は、回折Ｘ線の記録から読み取りまでの時間が長くなり、測定作業の迅速性に欠けるという課題を有していた。
【０００４】
そこで、このような課題を解消するものとして、近年、図１４に示す構成のＸ線画像記録・読取装置が開発されている。
同装置は、支軸１を中心に回転自在な支持アーム２の両端に記録体取付板３，３′をそれぞれ設け、これら記録体取付板３，３′にＸ線画像記録体４，４′を装着した構成を備えている。ここで、各Ｘ線画像記録体４，４′は、従来と同様平面的な板状体となっており、支持アーム２の回転により記録部５と読取部６とに各々移動配置される。そして、一方のＸ線画像記録体４に試料７からの回折Ｘ線を記録している間に、他方のＸ線画像記録体４′を読取装置８によって走査するため、連続的な測定作業を行なうことができ、しかもＸ線画像記録体４，４′の搬送および配置も支持アーム２の回転のみで自動的に行なえ、作業が迅速化するようになった。
【０００５】
【発明が解決しようとする課題】
さて、一般に輝尽性蛍光体層を有したＸ線画像記録体はイメージングプレート（ＩＰ）と呼ばれており、１００μｍ程度の分解能を有する高感度なもの（「ホワイトＩＰ」と称する）や、５０μｍ程度の分解能を有する低感度なもの（「ブルーＩＰ」と称する）などの種類があり、それぞれ試料から出る回折Ｘ線の密度等に応じて適宜選択して用いられていた。例えば、試料から出る回折Ｘ線が広い領域に散点する場合は、ホワイトＩＰを使用するのが好ましく、一方、試料から出る回折Ｘ線が狭い領域で高密度に記録される場合は、ブルーＩＰを使用するのが好ましい。
【０００６】
しかしながら、これら種類の異なるイメージングプレートは、各々寸法も異なっており、しかも図１４に示した従来のＸ線画像記録・読取装置は二枚のイメージングプレートを装着できるだけであったので、連続測定を実施する場合には、いずれか一種類のイメージングプレートのみ記録体取付板３，３′に装着し、試料７の変更とともに別種のイメージングプレートを用いる必要が生じたときに、その都度、記録体取付板３，３′へ装着し直さなければならなかった。
【０００７】
この発明は、このような事情に鑑みてなされたもので、寸法の異なるＸ線画像記録体をいちいち着脱作業をすることなく選択して使用することを可能とする他、種々の測定条件に柔軟に対応できるＸ線画像記録・読取装置の提供を目的とする。
【０００８】
【課題を解決するための手段】
上記目的を達成するためにこの発明は、無端状の記録体保持ベルトと、この記録体保持ベルトを移動自在に巻掛け支持するベルト支持手段と、記録体保持ベルトをベルト支持手段に沿って移動させるベルト駆動手段と、輝尽性蛍光体層を有し記録体保持ベルトの表面に保持されたＸ線画像記録体と、記録体保持ベルトの表面に対向する所定の記録部に配設され、試料にＸ線を照射するとともに同試料で回折したＸ線を前記Ｘ線画像記録体に吸収・蓄積させる記録手段と、記録体保持ベルトの表面に対向する所定の読取部に配設され、Ｘ線画像記録体に励起光を照射することによりＸ線蓄積部分から蛍光を発生させるとともにこの発生した蛍光を読み取る読取手段とを備えている。
【０００９】
上記のＸ線画像記録体は、任意の枚数を記録保持ベルトに保持させることができ、しかも先に説明したホワイトＩＰやブルーＩＰといった寸法の異なるものであってもかまわない。ここで、同一寸法，種類の二枚のＸ線画像記録体を、その一方が記録部に配置されたとき、他方が読取部に配置されるように記録体保持ベルト上の保持位置を調整しておけば、測定情報の記録動作と同時に読み取り動作を実行することができる。
【００１０】
記録体保持ベルトは、ベルト支持手段に支持され、ベルト駆動手段からの駆動力を受けて移動し、保持しているＸ線画像記録体を記録部や読取部に配置する。記録部では、Ｘ線の照射によって試料から出た回折Ｘ線をＸ線画像記録体が吸収・蓄積する。また読取部では、Ｘ線画像記録体に励起光を照射することによりＸ線蓄積部分から蛍光を発生させるとともに、この発生した蛍光を読取手段が読み取ていく。
【００１１】
さて、記録体保持ベルトが伸縮すると、保持しているＸ線画像記録体が変形してしまい、正確な記録，読み取りができなくなる。また、記録体保持ベルトはベルト支持手段に沿った移動を円滑に行ない得るだけの可撓性が必要となる。しかも、Ｘ線画像記録体に凹凸を与えずに保持しなければならない。これらの特性を満たすべく、この発明では、記録体保持ベルトを、可撓性を有する無端状の金属部材で形成してある。
【００１２】
さらに、この発明は、ベルト支持手段が互いの中心軸を平行に配設しかつこの中心軸と平行な周面を有する複数本の回転ドラムを備え、そのうちの一本を駆動回転ドラムとしてベルト駆動手段で回転駆動するとともに、他を従動回転ドラムとした構成としてもよい。
【００１３】
ここで、駆動回転ドラムの表面には、複数の円周方向に延びる溝を形成し、これらの溝に弾力性を有する摩擦部材を装着するとともに、該摩擦部材を任意の厚さだけ上記溝から露出させ、記録体保持ベルトからの圧力によって摩擦部材が変形して該記録体保持ベルトの裏面が前記駆動回転ドラムの周面に接触することが好ましい。
【００１４】
回転ドラムに沿って記録体保持ベルトを移動させるとき、回転ドラムの中心軸と平行に記録体保持ベルトが回転ドラムに巻掛けられていなければ、記録体保持ベルトが回転ドラムの軸方向にずれてしまい、適正な動作を続けることができない。また、駆動回転ドラムと記録体保持ベルトとの間にすべりを生じた場合、記録体保持ベルトに保持されたＸ線画像記録体を、正確に記録部や読取部に配置することができなくなる。
【００１５】
そこで、この発明を上記のような構成にすれば、駆動回転ドラムに装着した摩擦部材との間の摩擦力によって、記録体保持ベルトを確実に移動させることができる。記録体保持ベルトは、巻掛け張力によって摩擦部材を圧迫して溝内に押し縮めるため、記録体保持ベルトの裏面が駆動回転ドラムの周面に接触する。この記録体保持ベルトは、金属部材で形成してあるため充分な強度を有し、しかも凹凸がつきにくいので、駆動回転ドラムの周面に接触した状態で中心軸との平行度を保つことができる。
【００１６】
またこの発明は、従動回転ドラムの両端縁部に一定ピッチのスプロケット爪を設けるとともに、記録体保持ベルトの両端縁部に上記スプロケット爪と係合するスプロケット孔を穿設することにより、確実に記録体保持ベルトを移動させる構成とすることが好ましい。
【００１７】
さらにこの発明は、読取部において記録体保持ベルトの両端縁部に接触し、該記録体保持ベルトを所定の湾曲形状に撓ませる多数個の案内ローラを備えることが好ましい。このようにすれば、螺旋状に回転走査してＸ線画像記録体の記録を読み取ることができ、短時間のうちに読み取り動作を終了することが可能になる。しかも案内ローラによれば摩擦による記録体保持ベルトの損耗が少なく、耐久性が向上する。
【００１８】
また、記録部において記録体保持ベルトを平面状に吸着固定する記録部支持盤を設けるとともに、読取部において記録体保持ベルトを所定の曲率の湾曲形状に吸着固定する読取部支持盤を設けてもよい。
これら記録部支持盤および読取部支持盤は、それぞれ支持盤本体と、該支持盤本体の正面に形成した記録体保持ベルトの吸着面と、この吸着面に形成した複数条の吸引溝と、支持盤本体内に形成した真空室と、この真空室と各吸引溝とをそれぞれ連通する連通孔とを備え、かつ真空室内を真空ポンプによって真空引きするように構成することが好ましい。
【００１９】
上記のとおり記録体保持ベルトは金属部材によって形成してあるので、記録部支持盤または読取部支持盤に真空吸着しても凹凸を生じることがない。したがって、記録体保持ベルトに保持したＸ線画像記録体を適正な姿勢で記録部または読取部に配置することができる。
しかも、上記の構成によれば、一の吸引溝は一本の連通孔により真空室と連通させることができるので加工が容易である。さらに、多数の吸引孔が吸着面に開口した通常の真空チャック構造に比べ、真空室につながる連通孔の本数を少なくできるので、真空室の容積を小さくでき、真空引きの開始から所要の減圧状態までに要する時間が短くなる。
【００２０】
【発明の実施の形態】
以下、この発明の実施の形態について、図面を参照して詳細に説明する。
図１乃至図１１は、この発明に係るＸ線画像記録・読取装置の一実施形態を示しており、図１は同装置の全体構成を示す斜視図、図２は同じく平面図、図３は同装置の概略構成を中央部分で切断して示す縦断面図である。
Ｘ線画像記録・読取装置は、Ｘ線画像記録体１０の移動部Ａ、Ｘ線画像記録体１０に対する測定情報の記録部Ｂ、およびＸ線画像記録体１０に記録した測定情報の読取部Ｃで全体を構成してある。
【００２１】
Ｘ線画像記録体１０の移動部Ａには、四本の回転ドラム（ベルト支持手段）１１，１２，１３，１４が、前後に二本づつ互いの中心軸を平行にした状態で設置してある。これら回転ドラム１１〜１４には、無端状の記録体保持ベルト１５が巻掛けてあり、該記録体保持ベルト１５は回転ドラム１１〜１４に沿って移動自在となっている。四本の回転ドラム１１〜１４のうち一本は、駆動回転ドラムになっており、図示しない駆動モータ（ベルト駆動手段）から回転駆動力を受けて回転する。この実施形態では、便宜上、回転ドラム１１を駆動回転ドラムとして以下の説明を進めていく。他の三本の回転ドラム１２，１３，１４は、従動回転ドラムとなっている。
【００２２】
前方に位置する二本の回転ドラム１３，１４の間は記録部Ｂの領域に入っており、この間では記録体保持ベルト１５を平面状に支持している。また、後方に位置する二本の回転ドラム１１，１２の間は読取部Ｃの領域に入っており、この間では後述する案内ローラ１６…によって記録体保持ベルト１５を湾曲形状に支持している。
【００２３】
記録体保持ベルト１５は、回転ドラム１１〜１４に巻掛けられかつ移動できる程度の可撓性を有する金属部材（例えば、ステンレス板）で形成してある。この金属部材で形成した記録体保持ベルト１５は、通常のベルトコンベア等に用いられる布製やゴム製の無端状ベルトに比べ、伸縮性がなくしかも表面に凹凸ができにくいという特性を有している。
【００２４】
Ｘ線画像記録体１０は、一般にイメージングプレート（ＩＰ）と呼ばれる輝尽性蛍光体層を有した平板状のＸ線記録媒体を用いている。周知のようにイメージングプレートは、輝尽性蛍光体層にＸ線が入射すると、該入射部にＸ線エネルギが吸収・蓄積され一種の潜像が形成される。そして、レーザ光を輝尽性蛍光体層に照射すると、Ｘ線エネルギの蓄積部分から輝尽性の蛍光を発生するという特性を有している。また、蓄積されたＸ線エネルギは、赤色光等を照射することにより消去できる。
【００２５】
Ｘ線画像記録体１０としてのイメージングプレートには、先に説明したようなホワイトＩＰ，ブルーＩＰ等、各種の感度特性，寸法のもの、さらには測定条件に合わせた特別仕様のものを適宜選択して用いることができる。それら選択したＸ線画像記録体１０は、記録体保持ベルト１５の表面に装着してある。Ｘ線画像記録体１０は、離脱できないように記録体保持ベルト１５へ固着してもよいが、好ましくは測定条件の変更に対応して交換できるように、両面テープ等を使用して着脱自在に装着したほうがよい。なお、Ｘ線画像記録体１０は、記録体保持ベルト１５と同じく回転ドラム１１〜１４に沿って移動できる程度の可撓性を有していることが必要である。
【００２６】
図１に示した実施形態では、Ｘ線画像記録体１０としてホワイトＩＰ１０ａおよびブルーＩＰ１０ｂを各２枚、記録体保持ベルト１５の表面に装着してある。ここで、同一種類，寸法のＸ線画像記録体１０は、その一方が記録部Ｂに配置されたとき、他方が読取部Ｃに配置されるように装着位置を調整してある。このようにすれば、測定情報の記録動作と同時に読み取り動作を実行することができる。
【００２７】
各回転ドラム１１〜１４の周面は、それぞれ回転軸と平行な面となっている。そして、駆動回転ドラム１１の周面には、図４，図５に示すように、複数条の溝１１１が円周方向に形成してあり、これらの溝１１１に環状の摩擦部材１１２を装着してある。摩擦部材１１２は、弾力性を有しかつ摩擦係数の大きなゴム材，軟質合成樹脂材などを適用することができる。この摩擦部材１１２は、任意の厚さだけ溝から露出させてあり、図５に示すように記録体保持ベルト１５からの圧力によって弾力的に変形する。そのときの弾性力によって記録体保持ベルト１５との間に大きな摩擦力が生じて、回転駆動力を確実に伝達できるようにしてある。
【００２８】
また、摩擦部材１１２の変形によって記録体保持ベルト１５の裏面が、駆動回転ドラム１１の周面（中心軸と平行）に接触し、これによって駆動回転ドラム１１の中心軸に対する記録体保持ベルト１５の平行度を確保し、ずれを生じることなく記録体保持ベルト１５を駆動できるようにしてある。
従動回転ドラム１２〜１４の両端縁部には、図６に示すように、スプロケット爪１０１が一定のピッチで設けてある。また、記録体保持ベルト１５の両端縁部には、図７に示すように、上記スプロケット爪１０１に係合するスプロケット孔１５１が一定のピッチで穿設してある。このように従動回転ドラム１２〜１４は、スプロケット爪１０１の係合によって記録体保持ベルト１５を案内するために、すべりを生じることなく適正な量だけ記録体保持ベルト１５を移送できる。
【００２９】
なお、駆動回転ドラム１１もスプロケット爪１０１の係合によって記録体保持ベルト１５に駆動力を伝達することもできるが、該駆動力が大きな場合、スプロケット孔１５１の周辺に集中応力が生じ、記録体保持ベルト１５を損傷するおそれもあるため、この実施形態では上記のように摩擦部材１１２を利用した。
【００３０】
記録部Ｂには、図１に示すようにＸ線回折測定を実施するための試料台１７，Ｘ線源１８等からなる記録手段が、記録体保持ベルト１５の表面と対向して設けてある。この記録手段は、公知のＸ線回折装置を利用するため詳細な説明は省略するが、試料台１７に装着した試料Ｓに対してＸ線源１８によってＸ線を照射し、同試料Ｓから回折してきたＸ線をＸ線画像記録体１０に入射させるようになっている。
【００３１】
記録部Ｂの領域に配置された記録体保持ベルト１５の裏面側近傍位置には、図８，図９，図１０に示すような記録部支持盤１９が設置してあり、記録体保持ベルト１５を平面状に吸着保持する。記録部支持盤１９は、ブロック形状の支持盤本体１９１を備えており、この支持盤本体１９１の正面が平坦な吸着面１９２となっている。吸着面１９２には、複数条の吸引溝１９３が形成してある。
【００３２】
また、支持盤本体１９１の内部には真空室１９４が形成してあり、各吸引溝１９３と真空室１９４とがそれぞれ連通孔１９５によって連通してある。連通孔１９５は、一の吸引溝１９３に対して一本だけ形成してあり、したがって吸引溝１９３の数だけの連通孔１９５が真空室１９４に開口することになる。図９に示すように、これらの連通孔１９５を同一平面（同図のＰ（紙面に垂直な平面））上に並べて穿設することにより、真空室１９４はこの平面の周囲に小さな容積をもって形成するだけでいわゆる真空溜りとしての機能を備えることができる。
【００３３】
すなわち、真空室１９４は配管１９６を介して真空ポンプ（図示せず）に連通しており、同ポンプによって減圧される。真空室１９４内が減圧状態となれば、大気圧との間に圧力差が生じ、連通孔１９５を介して吸引溝１９３内の空気を吸引する。この吸引力によって記録体保持ベルト１５の裏面を支持盤本体１９１の吸着面１９２に吸着する。上記のように、真空室１９４を小さな容積で形成すれば、短時間で同室１９４内を減圧状態にできる。
【００３４】
図１２，図１３は、一般の真空チャックを示している。同図に示すように、一般の真空チャック１９７は、吸着面１９８の全面にわたり多数の吸引孔１９９が穿設してあり、これら吸引孔１９９が個別的に真空室２００と連通する構造となっている。したがって、真空室２００は、吸引孔１９９の穿設領域に対応して広範囲に形成しておかなければならず、必然的に容積が大きくなってしまい、減圧状態を形成するまでの立ち上げ時間が長くなる。
【００３５】
読取部Ｃには、図１乃至図３に示すように回転走査式の読取装置（読取手段）２０が出没自在となっている。この読取装置２０は、図１に示すようにレーザ光源２１で生じたレーザ光をハーフミラー２２を介して走査窓２３から発射するとともに、Ｘ線画像記録体１０に発生した蛍光を同走査窓２３から受光し、ハーフミラー２２を介して検出部２４へと入力する構造を備えている。レーザ光源２１としては、Ｈｅ−Ｎｅレーザ光源を用いることもできるが、半導体レーザ光源を採用すれば高出力化と小形化を実現することができる。
【００３６】
ハーフミラー２２および走査窓２３は、支持枠２５に装着した回転体２６に設けてあり、回転体２６とともに回転してレーザ光を径方向に発射する。さらに、支持枠２５は回転体２６の中心軸方向（図では上下方向）に往復移動し、これらの動作の組み合せによって読取装置２０は螺旋状にＸ線画像記録体１０を走査していく。
【００３７】
読取部Ｃの領域に配置された記録体保持ベルト１５の裏面側近傍位置には、図１１に示すような読取部支持盤２７が設置してあり、記録体保持ベルト１５を湾曲形状にして吸着保持する。読取部支持盤２７は、ブロック形状の支持盤本体２７１を備えており、この支持盤本体２７１の正面が湾曲形状の吸着面２７２となっている。この吸着面２７２の曲率半径は、上述した読取装置２０における走査窓２３の回転半径より若干大きく設定してあり、該走査窓２３が吸着面２７２に吸着固定したＸ線画像記録体１０に沿って、その近傍を回転するようになっている。
【００３８】
吸着面２７２には複数条の吸引溝２７３が形成してあり、また支持盤本体２７１の内部には真空室（図示せず）が形成してあり、各吸引溝２７３と真空室とがそれぞれ連通孔（図示せず）によって連通してある。これら吸引溝２７３，真空室，連通孔の構造は、先に説明した記録部支持盤１９のそれと同様である。
【００３９】
また読取部Ｃには、図２，図３に示すように、記録体保持ベルト１５の両端縁部に接触して該ベルト１５を湾曲形状に撓ませる多数個の案内ローラ１６…が設置してある。これらの案内ローラ１６…は、読取部支持盤２７における吸着面２７２の両端縁部近傍に、同吸着面２７２の湾曲形状に沿って配設してある。記録体保持ベルト１５は、後方に配設した二本の回転ドラム１１，１２の間で、案内ローラ１６に案内されて読取部支持盤２７の吸着面２７２に沿って湾曲状に移動する。
読取部Ｃの下流側における記録体保持ベルト１５の近傍位置には、消去ランプ２８が設置してある。この消去ランプ２８は、Ｘ線画像記録体１０に蓄積されたＸ線エネルギを、赤色光の照射によって消去する機能を有している。
【００４０】
次に、上述した構成のＸ線画像記録・読取装置の動作を説明する。なお、同装置の各部は図示しない制御装置によって制御されており、自動的に以下に説明する動作を実行していく。
まず、図示しない駆動モータが作動して駆動回転ドラム１１を回転駆動する。駆動回転ドラム１１が回転すると、記録体保持ベルト１５が各回転ドラム１１〜１４に沿って移動し、一のＸ線画像記録体１０を記録部支持盤１９の吸着面１９２と対応した位置に配置するとともに、他の一のＸ線画像記録体１０を読取部支持盤２７の吸着面２７２と対応した位置に配置する（図２参照）。
【００４１】
記録部Ｂにおいては、図示しない真空ポンプが作動して記録部支持盤１９を真空吸引状態とし、記録体保持ベルト１５を介してＸ線画像記録体１０を吸着面１９２に真空吸着する。記録部支持盤１９の吸着面１９２は平面状に形成してあるため、この吸着面１９２に吸着されたＸ線画像記録体１０は高い平面性を維持することができる。この状態でＸ線源１８から試料Ｓに向けてＸ線を照射すると、試料Ｓの結晶構造，物性などに応じて特有の角度に試料Ｓから回折Ｘ線が出力される。この回折Ｘ線は、記録部支持盤１９に真空吸着されたＸ線画像記録体１０に吸収・蓄積される。
【００４２】
所定のＸ線回折測定が終了した後、記録部支持盤１９の真空吸引状態を解除する。次いで、図示しない駆動モータを作動して駆動回転ドラム１１を回転駆動し、記録体保持ベルト１５を移動させ、記録部ＢにあったＸ線画像記録体１０を読取部Ｃに配置する。このとき、読取部ＣにあったＸ線画像記録体１０は記録部Ｂに配置される。
【００４３】
読取部Ｃでは、図示しない真空ポンプが作動して読取部支持盤２７を真空吸引状態とし、記録体保持ベルト１５を介してＸ線画像記録体１０を吸着面２７２に真空吸着する。読取部支持盤２７の吸着面２７２は湾曲しており、この湾曲形状に合わせてＸ線画像記録体１０が保持される。
【００４４】
この状態で、読取装置２０が読取部Ｃに移動してきて、Ｘ線画像記録体１０に記録された測定情報の読取走査を行なう。すなわち、レーザ光源２１で生じたレーザ光をハーフミラー２２を介して走査窓２３から発射するとともに、Ｘ線画像記録体１０に発生した蛍光を同走査窓２３から受光し、ハーフミラー２２を介して検出部２４へと入力する（図１，図２参照）。このＸ線画像記録体１０に対する読取走査は、回転体２６の回転および支持枠２５の上下方向への移動によって螺旋状に行なわれる。
【００４５】
この読取走査と並行して、記録部Ｂでは、次のＸ線回折測定を実施することができる。そして、読取部Ｃおよび記録部Ｂでの作業が終了した後、読取部支持盤２７および記録部支持盤１９の真空吸引状態を解除して、Ｘ線画像記録体１０を移動自在とする。続いて、図示しない駆動モータを作動して駆動回転ドラム１１を回転駆動し、記録体保持ベルト１５を移動させる。読取部Ｃにおいて測定情報を読み取られたＸ線画像記録体１０は、記録部Ｂへ移送する前に消去ランプ２８と対向する位置に配置し、白色光を照射して蓄積されていたＸ線エネルギを消去する。
【００４６】
以上の動作を繰り返すことにより、記録部Ｂで連続的にＸ線回折測定を実施するとともに、読取部Ｃで測定情報を読み取ることができ、測定および処理時間の短縮を図ることができる。
なお、この発明は上述した実施の形態のみに限定されるものではない。例えば、無端状に形成したＸ線画像記録体を記録体保持ベルトに装着することもできる。また、この発明の画像記録・読取装置は、例えばＸ線の回折現象を利用した単結晶の回折反転測定、繊維試料の配向度測定、小角測定、ラウエ写真、二次元時分割測定に利用することができる。
【００４７】
【発明の効果】
以上説明したように、この発明のＸ線画像記録・読取装置によれば、無端状の記録体保持ベルトがＸ線画像記録体を保持して記録部，読取部の間を移動するので、Ｘ線画像記録体の各部への配置作業が容易となり、しかも寸法の異なるＸ線画像記録体であっても記録体保持ベルトに装着するだけで、自動的に選択して記録部，読取部に配置することができる。
しかも、記録体保持ベルトは、金属部材で形成してあるので、移動に際してＸ線画像記録体に無理な張力を生じさせたり、凹凸を生じさせることなく、記録部，読取部への移動，配置動作を行なうことができる。
【図面の簡単な説明】
【図１】この発明の一実施形態に係るＸ線画像記録・読取装置の全体構成を示す斜視図である。
【図２】同じく平面図である。
【図３】同装置の概略構成を中央部分で切断して示す縦断面図である。
【図４】同装置の駆動回転ドラムを示す斜視図である。
【図５】図４に示した駆動回転ドラムの溝および摩擦部材を拡大して示す縦断面図である。
【図６】同装置の従動回転ドラムを示す斜視図である。
【図７】同装置の記録体保持ベルトの構成を示す正面図である。
【図８】同装置の記録部支持盤を切欠いて示す斜視図である。
【図９】図８に示した記録部支持盤の横断面図である
【図１０】図８に示した記録部支持盤の全体構成を示す斜視図である。
【図１１】同装置の読取部支持盤を切欠いて示す斜視図である。
【図１２】一般の真空チャックの外観構成を示す斜視図である。
【図１３】同真空チャックの構造を図９と対比して示す横断面図である。
【図１４】従来のＸ線画像記録・読取装置を示す構成図である。
【符号の説明】
１０：Ｘ線画像記録体      １１：駆動回転ドラム
１２〜１４：従動回転ドラム
１５：記録体保持ベルト    １６：案内ローラ
１９：記録部支持盤        ２０：読取装置
２７：読取部支持盤        ２８：消去ランプ
１０１：スプロケット爪    １１１：溝
１１２：摩擦部材          １５１：スプロケット孔
１９１：支持盤本体        １９２：吸着面
１９３：吸引溝            １９４：真空室
１９５：連通孔            ２７１：支持盤本体
２７２：吸着面            ２７３：吸引溝
【図１】
0003669596.tif 000002
【図２】
0003669596.tif 000003
【図３】
0003669596.tif 000004
【図４】
0003669596.tif 000005
【図５】
0003669596.tif 000006
【図６】
0003669596.tif 000007
【図７】
0003669596.tif 000008
【図８】
0003669596.tif 000009
【図９】
0003669596.tif 000010
【図１０】
0003669596.tif 000011
【図１１】
0003669596.tif 000012
【図１２】
0003669596.tif 000013
【図１３】
0003669596.tif 000014
【図１４】
0003669596.tif 000015